(57)【要約】【課題】消費電力を低減し得る貯湯式給湯装置を提供する。【解決手段】貯湯式給湯装置１０は、貯湯タンクと、ヒートポンプ２２０と、補助熱源機と、貯湯タンクとヒートポンプ２２０との間で水の循環を行うための貯湯ポンプ２１５と、貯湯タンク内の水を補助熱源機へ送るための循環ポンプ４１４と、電源回路９１０と、貯湯ポンプ２１５に電源回路９１０からの電力を供給する第１ポンプ電源ライン９２１と、循環ポンプ４１４に電源回路９１０からの電力を供給する第２ポンプ電源ライン９２２と、第２ポンプ電源ライン９２２に設けられ、第２ポンプ電源ライン９２２の接続および遮断を行う第１ポンプラインスイッチング回路９４０と、マイコン８００と、を備える。マイコン８００は、循環ポンプ４１４を動作させないことに基づき、第１ポンプラインスイッチング回路９４０により第２ポンプ電源ライン９２２を遮断する。【選択図】図４
2019190677.tif 000002
【特許請求の範囲】
【請求項１】
貯湯タンクと、
第１熱源と、
第２熱源と、
前記貯湯タンクと前記第１熱源との間で水の循環を行うための第１ポンプと、
前記貯湯タンク内の水を前記第２熱源へ送るための第２ポンプと、
電源部と、
前記第１ポンプに接続され、前記電源部からの電力を前記第１ポンプに供給する第１電源ラインと、
前記第２ポンプに接続され、前記電源部からの電力を前記第２ポンプに供給する第２電源ラインと、
前記第２電源ラインに設けられ、前記第２電源ラインの接続および遮断を行う第１スイッチ部と、
制御部と、を備え、
前記制御部は、前記第２ポンプを動作させないことに基づき、前記第１スイッチ部により前記第２電源ラインを遮断する、
ことを特徴とする貯湯式給湯装置。
【請求項２】
請求項１に記載の貯湯式給湯装置において、
前記第１電源ラインに設けられ、前記第１電源ラインの接続および遮断を行う第２スイッチ部を、さらに備え、
前記制御部は、前記第１ポンプを動作させないことに基づき、前記第２スイッチ部により前記第１電源ラインを遮断する、
ことを特徴とする貯湯式給湯装置。
【請求項３】
請求項１または２に記載の貯湯式給湯装置において、
前記貯湯式給湯装置と外部装置との間で水を循環させるための第３ポンプと、
前記第３ポンプにより循環される水を加熱するための加熱部と、をさらに備え、
前記第２電源ラインは、前記第１スイッチ部よりも下流側で前記第３ポンプにも接続され、
前記制御部は、前記第２ポンプおよび前記第３ポンプを動作させないことに基づき、前記第１スイッチ部により前記第２電源ラインを遮断する、
ことを特徴とする貯湯式給湯装置。
【請求項４】
請求項１または２に記載の貯湯式給湯装置において、
前記貯湯式給湯装置と外部装置との間で水を循環させるための第３ポンプと、
前記第３ポンプにより循環される水を加熱するための加熱部と、
前記第３ポンプに接続され、前記電源部からの電力を前記第３ポンプに供給する第３電源ラインと、
前記第３電源ラインに設けられ、前記第３電源ラインの接続および遮断を行う第３スイッチ部と、をさらに備え、
前記制御部は、前記第３ポンプを動作させないことに基づき、前記第３スイッチ部により前記第３電源ラインを遮断する、
ことを特徴とする貯湯式給湯装置。
【請求項５】
請求項１ないし４の何れか一項に記載の貯湯式給湯装置において、
前記第２熱源は、燃焼器と、当該燃焼器に空気を送る燃焼ファンとを含み、
前記第２電源ラインは、前記第１スイッチ部よりも下流側で前記燃焼ファンにも接続され、
前記制御部は、前記第２ポンプおよび前記燃焼ファンを動作させないことに基づき、前記第１スイッチ部により前記第２電源ラインを遮断する、
ことを特徴とする貯湯式給湯装置。
【請求項６】
請求項１ないし５の何れか一項に記載の貯湯式給湯装置において、
前記制御部は、前記第１ポンプおよび前記第２ポンプの何れかで異常が生じたことを検出すると、前記第１スイッチ部により前記第２電源ラインを遮断し、前記第１ポンプを動作させ、その動作結果に基づいて異常報知を行う、
ことを特徴とする貯湯式給湯装置。
【請求項７】
貯湯式給湯装置において、
貯湯タンクと、
熱源と、
前記貯湯タンクと前記熱源との間で水の循環を行うための第１ポンプと、
前記貯湯式給湯装置と外部装置との間で水を循環させるための第２ポンプと、
前記第２ポンプにより循環される水を加熱するための加熱部と、
電源部と、
前記第１ポンプに接続され、前記電源部からの電力を前記第１ポンプに供給する第１電源ラインと、
前記第２ポンプに接続され、前記電源部からの電力を前記第２ポンプに供給する第２電源ラインと、
前記第２電源ラインに設けられ、前記第２電源ラインの接続および遮断を行う第１スイッチ部と、
制御部と、を備え、
前記制御部は、前記第２ポンプを動作させないことに基づき、前記第１スイッチ部により前記第２電源ラインを遮断する、
ことを特徴とする貯湯式給湯装置。
【発明の詳細な説明】
【技術分野】
【０００１】
本発明は、貯湯式給湯装置に関する。
【背景技術】
【０００２】
従来、貯湯式給湯装置では、貯湯タンク内の水（湯）を、ポンプを用いて貯湯タンクとヒートポンプ等の熱源との間で循環させることにより、貯湯タンク内に適温の湯が貯められるようにしている（たとえば、特許文献１参照）。
【０００３】
貯湯式給湯装置では、上記のような貯湯用のポンプの他にもポンプが設けられ得る。たとえば、貯湯式給湯装置には、通常、出湯時に貯湯タンク内の適温の湯が足りない場合に貯湯タンク内の水（湯）を加熱する補助熱源が備えられており、貯湯タンク内の水（湯）を補助熱源に導くためにポンプが設けられる場合がある。あるいは、貯湯式給湯装置がふろ水を追い焚きする機能を有する場合に、ふろ水を貯湯式給湯装置と浴槽との間で循環させるポンプが設けられ得る。さらには、貯湯式給湯装置が浴室暖房機（浴室暖房乾燥機）の放熱器に供給される暖房水を加熱する機能を有する場合、暖房水を貯湯式給湯装置と浴室暖房機との間で循環させるポンプが設けられ得る。
【先行技術文献】
【特許文献】
【０００４】
【特許文献１】特開２０１４−１５６９８７号公報
【発明の概要】
【発明が解決しようとする課題】
【０００５】
貯湯式給湯装置において、貯湯用のポンプの他にポンプが備えられる場合、これらポンプには、同じ電源ラインから電力が供給され得る。このような場合、貯湯用のポンプは動作するが他のポンプが動作しないときに他のポンプが電源ラインに接続されたままであると、他のポンプで待機電力が消費され、それが貯湯式給湯装置の無駄な電力消費に繋がる虞がある。
【０００６】
そこで、本発明は、消費電力を低減し得る貯湯式給湯装置を提供することを目的とする。
【課題を解決するための手段】
【０００７】
本発明の第１の態様に係る貯湯式給湯装置は、貯湯タンクと、第１熱源と、第２熱源と、前記貯湯タンクと前記第１熱源との間で水の循環を行うための第１ポンプと、前記貯湯タンク内の水を前記第２熱源へ送るための第２ポンプと、電源部と、前記第１ポンプに接続され、前記電源部からの電力を前記第１ポンプに供給する第１電源ラインと、前記第２ポンプに接続され、前記電源部からの電力を前記第２ポンプに供給する第２電源ラインと、前記第２電源ラインに設けられ、前記第２電源ラインの接続および遮断を行う第１スイッチ部と、制御部と、を備える。ここで、前記制御部は、前記第２ポンプを動作させないことに基づき、前記第１スイッチ部により前記第２電源ラインを遮断する。
【０００８】
なお、特許請求の範囲における「水」との用語は、低温の水である冷水、高温の水である温水即ち湯など、その温度に関係なく、広く水を意味するものである。
【０００９】
上記の構成によれば、第１ポンプは動作させるが第２ポンプは動作させない場合に、第２ポンプで待機電力を生じないようにすることができる。これにより、貯湯式給湯装置の消費電力の低減を図ることができる。
【００１０】
本態様に係る貯湯式給湯装置において、前記第１電源ラインに設けられ、前記第１電源ラインの接続および遮断を行う第２スイッチ部を、さらに備えるような構成が採られ得る。この場合、前記制御部は、前記第１ポンプを動作させないことに基づき、前記第２スイッチ部により前記第１電源ラインを遮断する。
【００１１】
上記の構成によれば、第２ポンプのみならず第１ポンプも動作させない場合、第１ポンプで待機電力を生じないようにすることができる。これにより、貯湯式給湯装置の消費電力の低減を一層図ることができる。
【００１２】
本態様に係る貯湯式給湯装置において、前記貯湯式給湯装置と外部装置との間で水を循環させるための第３ポンプと、前記第３ポンプにより循環される水を加熱するための加熱部と、をさらに備えるような構成が採られ得る。この場合、前記第２電源ラインは、前記第１スイッチ部よりも下流側で前記第３ポンプにも接続される。そして、前記制御部は、前記第２ポンプおよび前記第３ポンプを動作させないことに基づき、前記第１スイッチ部により前記第２電源ラインを遮断する。
【００１３】
たとえば、外部装置は、浴槽または浴室暖房機とすることができる。
【００１４】
上記の構成によれば、第１ポンプは動作させるが第２ポンプおよび第３ポンプは動作させない場合に、第２ポンプおよび第３ポンプで待機電力を生じないようにすることができる。
【００１５】
本態様に係る貯湯式給湯装置において、前記貯湯式給湯装置と外部装置との間で水を循環させるための第３ポンプと、前記第３ポンプにより循環される水を加熱するための加熱部と、前記第３ポンプに接続され、前記電源部からの電力を前記第３ポンプに供給する第３電源ラインと、前記第３電源ラインに設けられ、前記第３電源ラインの接続および遮断を行う第３スイッチ部と、をさらに備えるような構成が採られ得る。この場合、前記制御部は、前記第３ポンプを動作させないことに基づき、前記第３スイッチ部により前記第３電源ラインを遮断する。
【００１６】
上記の構成によれば、第２ポンプおよび第３ポンプのうち、一方は動作するが他方は動作しない場合に、他方に電力を供給しない状態にできるので、他方に待機電力が生じず、貯湯式給湯装置の消費電力が一層低減される。
【００１７】
本態様に係る貯湯式給湯装置において、前記第２熱源は、燃焼器と、当該燃焼器に空気を送る燃焼ファンとを含み、前記第２電源ラインは、前記第１スイッチ部よりも下流側で前記燃焼ファンにも接続されるような構成が採られ得る。この場合、前記制御部は、前記第２ポンプおよび前記燃焼ファンを動作させないことに基づき、前記第１スイッチ部により前記第２電源ラインを遮断する。
【００１８】
上記の構成によれば、第１ポンプは動作させるが第２ポンプおよび燃焼ファンは動作させない場合に、第２ポンプおよび燃焼ファンで待機電力を生じないようにすることができる。
【００１９】
本態様に係る貯湯式給湯装置において、前記制御部は、前記第１ポンプおよび前記第２ポンプの何れかで異常が生じたことを検出すると、前記第１スイッチ部により前記第２電源ラインを遮断し、前記第１ポンプを動作させ、その動作結果に基づいて異常報知を行うような構成とされ得る。
【００２０】
上記の構成によれば、第１ポンプおよび第２ポンプの何れかで異常が発生した場合に、使用者は、第１ポンプ側か第２ポンプ側のどちら側において異常が発生したのかを知ることができる。
【００２１】
本発明の第２の態様に係る貯湯式給湯装置は、貯湯タンクと、熱源と、前記貯湯タンクと前記熱源との間で水の循環を行うための第１ポンプと、前記貯湯式給湯装置と外部装置との間で水を循環させるための第２ポンプと、前記第２ポンプにより循環される水を加熱するための加熱部と、電源部と、前記第１ポンプに接続され、前記電源部からの電力を前記第１ポンプに供給する第１電源ラインと、前記第２ポンプに接続され、前記電源部からの電力を前記第２ポンプに供給する第２電源ラインと、前記第２電源ラインに設けられ、前記第２電源ラインの接続および遮断を行う第１スイッチ部と、制御部と、を備える。ここで、前記制御部は、前記第２ポンプを動作させないことに基づき、前記第１スイッチ部により前記第２電源ラインを遮断する。
【００２２】
上記の構成によれば、第１ポンプは動作させるが第２ポンプは動作させない場合に、第２ポンプで待機電力を生じないようにすることができる。これにより、貯湯式給湯装置の消費電力の低減を図ることができる。
【発明の効果】
【００２３】
以上のとおり、本発明によれば、消費電力を低減し得る貯湯式給湯装置を提供することができる。
【００２４】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２５】
【図１】図１は、実施の形態に係る、貯湯式給湯装置の構成を示す概略図である。
【図２】図２（ａ）ないし（ｃ）は、それぞれ、実施の形態に係る、貯湯運転、給湯運転および補助熱源給湯運転について説明するための図である。
【図３】図３（ａ）および（ｂ）は、それぞれ、実施の形態に係る、追い焚き運転および暖房水加熱運転について説明するための図である。
【図４】図４は、実施の形態に係る、貯湯式給湯装置の構成を示すブロック図である。
【図５】図５は、実施の形態に係る、マイコンによる電力供給部の制御動作を示すフローチャートである。
【図６】図６は、実施の形態に係る、マイコンによる異常処理の制御動作を示すフローチャートである。
【図７】図７は、変更例に係る、貯湯式給湯装置の構成を示すブロック図である。
【図８】図８は、変更例に係る、マイコンによる電力供給部の制御動作を示すフローチャートである。
【図９】図９は、変更例に係る、マイコンによる異常処理の制御動作を示すフローチャートである。
【発明を実施するための形態】
【００２６】
以下、本発明の実施の形態について図面を参照して説明する。
【００２７】
本実施の形態において、貯湯ポンプ２１５が、特許請求の範囲に記載の「第１ポンプ」に対応する。また、ヒートポンプ２２０が、特許請求の範囲に記載の「第１熱源」および「熱源」に対応する。さらに、循環ポンプ４１４が、特許請求の範囲に記載の「第２ポンプ」に対応する。さらに、補助熱源機４２０が、特許請求の範囲に記載の「第２熱源」に対応する。さらに、ふろポンプ５１２および暖房ポンプ６１２が、特許請求の範囲に記載の「第３ポンプ」および「第２ポンプ」に対応する。さらに、ふろ熱交換器５３０および暖房熱交換器６３０が、特許請求の範囲に記載の「加熱部」に対応する。さらに、マイクロコンピュータ８００が、特許請求の範囲に記載の「制御部」に対応する。さらに、電源回路９１０が、特許請求の範囲に記載の「電源部」に対応する。さらに、第１ポンプ電源ライン９２１、第２ポンプ電源ライン９２２および第３ポンプ電源ライン９２５が、それぞれ、特許請求の範囲に記載の「第１電源ライン」、「第２電源ライン」および「第３電源ライン」に対応する。さらに、第１ポンプラインスイッチング回路９４０、第２ポンプラインスイッチング回路９５０および第３ポンプラインスイッチング回路９８０が、それぞれ、特許請求の範囲に記載の「第１スイッチ部」、「第２スイッチ部」および「第３スイッチ部」に対応する。
【００２８】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２９】
図１は、貯湯式給湯装置１０の構成を示す概略図である。
【００３０】
貯湯式給湯装置１０は、たとえば、浴室の横の屋外に配置され、貯湯タンク１００と、貯湯部２００と、給湯部３００と、補助加熱部４００と、追い焚き部５００と、暖房水加熱部６００と、を備える。貯湯式給湯装置１０は、貯湯タンク１００内に適温の湯を貯める貯湯運転と、貯湯タンク１００に貯められた湯を給水栓２０に供給する給湯運転と、貯湯タンク１００から出た水（湯）を補助熱源機４２０により加熱して給水栓２０に供給する補助熱源給湯運転と、浴槽３０に張られた湯の追い焚きを行う追い焚き運転と、浴室暖房機４０の放熱器に供給される暖房水を加熱する暖房水加熱運転とを行うことができる。貯湯式給湯装置１０では、通常、貯湯運転の頻度が、他の運転（給湯運転、補助熱源給湯運転、追い焚き運転、暖房水加熱運転）の頻度よりも高くなる。
【００３１】
給水栓２０は、たとえば、シャワー付き浴室水栓である。給水栓２０から浴槽３０へ湯を供給することで、浴槽３０内に湯を張ることができる。なお、給水栓２０は、台所水栓、洗面水栓などでもよい。浴室暖房機４０は、乾燥機能が備えられた浴室暖房乾燥機であってもよい。
【００３２】
貯湯タンク１００は縦長のタンクである。貯湯タンク１００には、予め設定された目標温度の湯が貯められる。貯湯タンク１００は、満水の状態にあり、内部に温度成層が形成されている。湯は貯湯タンク１００の上部から貯められ、湯の貯められていない部分は水となる。貯湯タンク１００の側面には、目標温度の湯の量である貯湯量を測定するための複数の貯湯温度センサ１０１が、それぞれ、各貯湯量に応じた高さ位置に設けられる。
【００３３】
貯湯部２００は、貯湯回路２１０と、ヒートポンプ２２０とを備える。貯湯回路２１０は、往路２１１と、復路２１２と、バイパス路２１３と、貯湯切替弁２１４と、貯湯ポンプ２１５と、を含む。
【００３４】
往路２１１は、貯湯タンク１００の下部とヒートポンプ２２０の凝縮器の入口に接続される。復路２１２は、貯湯タンク１００の上部とヒートポンプ２２０の凝縮器の出口に接続される。バイパス路２１３は、一端が貯湯切替弁２１４を介して復路２１２に接続され、他端が往路２１１に接続される。貯湯切替弁２１４は、ヒートポンプ２２０側から復路２１２を流れてきた水（湯）を、そのまま復路２１２の下流側に流すかバイパス路２１３側に流すかの切り替えを行う。貯湯ポンプ２１５は、往路２１１における、バイパス路２１３が接続された位置よりも下流側（ヒートポンプ２２０側）に設けられる。
【００３５】
ヒートポンプ２２０は、コンプレッサと、凝縮器と、膨張弁と、蒸発器とを有し、往路２１１を流れてきた水を凝縮器に通して加熱する。加熱された水、即ち、湯は、復路２１２を流れる。
【００３６】
なお、貯湯回路２１０には、ヒートポンプ２２０から出た湯の温度を検出する温度センサ（図示しない）が設けられる。
【００３７】
給湯部３００は、給水路３０１と、出湯路３０２と、分岐給水路３０３と、混合出湯路３０４と、混合弁３０５と、を含む。給水路３０１は、水道管と貯湯タンク１００の下端部に接続される。出湯路３０２は、貯湯タンク１００の上端部と混合弁３０５の一方の入口に接続される。分岐給水路３０３は、給水路３０１から分岐して混合弁３０５の他方の入口に接続される。混合出湯路３０４は、混合弁３０５の出口と給水栓２０に接続される。混合弁３０５は、出湯路３０２からの湯と分岐給水路３０３からの水とを混合して混合出湯路３０４に流す。
【００３８】
なお、給湯部３００には、給水路３０１、出湯路３０２および混合出湯路３０４に温度センサ（図示せず）が設けられ、給水路３０１および分岐給水路３０３に逆止弁（図示せず）が設けられ、混合出湯路３０４に水量センサ（図示せず）が設けられる。
【００３９】
補助加熱部４００は、補助加熱回路４１０と、補助熱源機４２０とを備える。補助加熱回路４１０は、入水路４１１と、出水路４１２と、循環切替弁４１３と、循環ポンプ４１４と、比例弁４１５と、を含む。
【００４０】
入水路４１１は、出湯路３０２の貯湯タンク１００の近傍位置と補助熱源機４２０の二次熱交換器４２２に接続される。入水路４１１には、循環切替弁４１３を介して後述する湯循環路５２１、６２１の一端が接続される。出水路４１２は、出湯路３０２における入水路４１１の接続位置よりも下流側と補助熱源機４２０の一次熱交換器４２１に接続される。循環切替弁４１３は、貯湯タンク１００側から入水路４１１を流れてきた水（湯）を、その下流の入水路４１１に流すか、湯循環路５２１、６２１を流れてきた水（湯）を、その下流の入水路４１１に流すかの切り替えを行う。循環ポンプ４１４は、入水路４１１における循環切替弁４１３の下流側に設けられる。比例弁４１５は、出水路４１２に設けられ、補助加熱回路４１０に流す水（湯）の量を調整する。
【００４１】
補助熱源機４２０は、一次熱交換器４２１と、二次熱交換器４２２と、燃焼器４２３と、燃焼ファン４２４と、を含む。燃焼ファン４２４から燃焼器４２３に空気が送られる。燃焼器４２３はガスにより燃焼し、一次熱交換器４２１と二次熱交換器４２２を加熱する。これにより、一次熱交換器４２１と二次熱交換器４２２を通る水が加熱される。
【００４２】
なお、補助加熱部４００には、入水路４１１に逆止弁（図示せず）と水量センサ（図示せず）が設けられ、出水路４１２に温度センサ（図示せず）が設けられる。
【００４３】
追い焚き部５００は、ふろ水循環回路５１０と、湯循環回路５２０と、ふろ熱交換器５３０とを備える。ふろ水循環回路５１０は、ふろ水循環路５１１と、ふろポンプ５１２とを含む。ふろ水循環路５１１は浴槽３０に繋がる。ふろポンプ５１２は、ふろ水循環路５１１のふろ熱交換器５３０よりも上流側に設けられる。湯循環回路５２０は、湯循環路５２１と、ふろ電磁弁５２２とを含む。
【００４４】
湯循環路５２１は、一端が出水路４１２の比例弁４１５より上流側に接続され、他端が循環切替弁４１３を介して入水路４１１に接続される。ふろ電磁弁５２２は、湯循環路５２１のふろ熱交換器５３０よりも下流側に設けられる。
【００４５】
ふろ熱交換器５３０は、液−液熱交換器であり、２重の管構造を有し、内側の管が湯循環路５２１の一部を構成し、外側の管がふろ水循環路５１１の一部を構成する。ふろ熱交換器５３０は、ふろ水循環路５１１を流れるふろ水と湯循環路５２１を流れる湯との間で熱交換を行うことにより、ふろ水を加熱する。
【００４６】
暖房水加熱部６００は、暖房水循環回路６１０と、湯循環回路６２０と、暖房熱交換器６３０とを備える。暖房水循環回路６１０は、暖房水循環路６１１と、暖房ポンプ６１２と、膨張タンク６１３とを含む。暖房水循環路６１１は浴室暖房機４０の放熱器に繋がる。暖房ポンプ６１２は、暖房水循環路６１１の暖房熱交換器６３０よりも上流側に設けられる。膨張タンク６１３は、暖房水循環路６１１の暖房ポンプ６１２よりも上流側に設けられ、暖房水が高温となってその体積が増加したときに増加量を吸収する機能を有する。湯循環回路６２０は、湯循環路６２１と、暖房電磁弁６２２とを含む。
【００４７】
湯循環路６２１は、一端が出水路４１２の比例弁４１５より上流側に接続され、他端が循環切替弁４１３を介して入水路４１１に接続される。暖房電磁弁６２２は、湯循環路６２１の暖房熱交換器６３０よりも下流側に設けられる。湯循環路６２１は、暖房熱交換器６３０と暖房電磁弁６２２が設けられた配管部分６２１ａを除く部分が、湯循環路５２１のふろ熱交換器５３０とふろ電磁弁５２２が設けられた配管部分５２１ａを除く部分と共通するように構成されている。
【００４８】
暖房熱交換器６３０は、液−液熱交換器であり、近接して平行に並ぶ２つの管を有し、一方の管が湯循環路６２１の一部を構成し、他方の管が暖房水循環路６１１の一部を構成する。暖房熱交換器６３０は、暖房水循環路６１１を流れる暖房水と湯循環路６２１を流れる湯との間で熱交換を行うことにより、暖房水を加熱する。
【００４９】
なお、追い焚き部５００および暖房水加熱部６００には、ふろ水循環路５１１と、２つの湯循環路５２１、６２１における共通の管路と、暖房水循環路６１１とに温度センサ（図示せず）が設けられる。
【００５０】
図２（ａ）ないし（ｃ）は、それぞれ、貯湯運転、給湯運転および補助熱源給湯運転について説明するための図である。図３（ａ）および（ｂ）は、それぞれ、追い焚き運転および暖房水加熱運転について説明するための図である。
【００５１】
図２（ａ）を参照し、貯湯運転について説明する。
【００５２】
貯湯タンク１００内の貯湯量が予め設定された下限の貯湯量より少なくなると、貯湯運転が開始される。貯湯運転は、給湯運転等の他の運転が行われているか否かに関係なく行われ、他の運転も貯湯運転が行われているか否かに関係なく行われる。
【００５３】
まず、貯湯切替弁２１４がバイパス路２１３側に切り替えられた状態で貯湯ポンプ２１５およびヒートポンプ２２０が動作し、往路２１１とヒートポンプ２２０と復路２１２とバイパス路２１３との間で水が循環し、循環する水がヒートポンプ２２０により加熱される。最初はヒートポンプ２２０の加熱能力が低くて水が温まりにくい。その後、ヒートポンプ２２０の加熱能力が高まり、貯湯タンク１００内の水を目標温度まで上昇させることができる状態になると、貯湯切替弁２１４が復路２１２側に切り替えられる。これにより、貯湯タンク１００と往路２１１とヒートポンプ２２０と復路２１２との間で水が循環し、貯湯タンク１００の下部側から排出された水がヒートポンプ２２０により加熱されて目標温度の湯となり、この湯が貯湯タンク１００の上部側に貯められる。こうして、貯湯タンク１００の貯湯量が予め設定された上限の貯湯量（たとえば、満杯の貯湯量）に達すると、貯湯ポンプ２１５およびヒートポンプ２２０が停止し、貯湯運転が終了する。
【００５４】
図２（ｂ）および（ｃ）を参照し、給湯運転および補助熱源給湯運転について説明する。
【００５５】
給水栓２０が開放されたとき、貯湯タンク１００内に十分な貯湯量の湯があれば、給湯運転が開始される。水道管からの水（冷水）が給水路３０１を通じて貯湯タンク１００の下部に供給され、貯湯タンク１００の上部から湯が出る。貯湯タンク１００から出た湯は、出湯路３０２を流れて混合弁３０５へ至る。一方、給水路３０１から分かれた水が分岐給水路３０３を流れて混合弁３０５へ至る。出湯路３０２からの湯と分岐給水路３０３からの水とが混合弁３０５で混合される。このとき、所定の給湯温度の湯が生成されるよう混合弁３０５が制御される。混合弁３０５から出た湯は、混合出湯路３０４を流れて給水栓２０から放出される。給水栓２０が閉鎖されると、給湯運転が終了する。
【００５６】
一方で、給水栓２０が開放されたとき、貯湯タンク１００内の貯湯量が不足していれば、補助熱源給湯運転が開始される。循環切替弁４１３が入水路４１１側に切り替えられた状態で循環ポンプ４１４と補助熱源機４２０が動作し、貯湯タンク１００から出湯路３０２に流れ出た水の一部が入水路４１１に引き込まれて補助熱源機４２０へ送られ、補助熱源機４２０で加熱されて湯となる。湯は出水路４１２を流れて出湯路３０２の水と合流する。このとき、合流後の湯の温度が目標温度となるよう、比例弁４１５が制御され、合流する湯の量が調整される。給湯運転と同様、出湯路３０２を流れた湯が混合弁３０５で分岐給水路３０３からの水と混合され、所定の給湯温度となった湯が混合出湯路３０４を流れて給水栓２０から放出される。給水栓２０が閉鎖されると、循環ポンプ４１４および補助熱源機４２０が停止し、補助熱源給湯運転が終了する。
【００５７】
図３（ａ）を参照し、追い焚き運転について説明する。
【００５８】
追い焚き運転のための操作、あるいは、浴槽３０内のふろ水の温度が追い焚きを必要とする温度まで低下したとの情報に基づいて、追い焚き運転が開始される。ふろポンプ５１２が動作し、浴槽３０とふろ水循環路５１１との間でふろ水が循環する。また、ふろ電磁弁５２２が開放するとともに循環切替弁４１３が湯循環路５２１側に切り替えられた状態において循環ポンプ４１４と補助熱源機４２０が動作する。このとき、暖房電磁弁６２２は閉鎖された状態にある。湯循環路５２１と入水路４１１と補助熱源機４２０と出水路４１２との間を、補助熱源機４２０で加熱されつつ、湯が循環する。浴槽３０から出たふろ水は、ふろ熱交換器５３０において湯循環路５２１を流れる湯により加熱された後に浴槽３０へ戻る。これにより、浴槽３０内の湯が熱くなる。浴槽３０内の温度が予め設定されたふろ温度に達すると、ふろポンプ５１２、循環ポンプ４１４および補助熱源機４２０が停止し、追い焚き運転が終了する。
【００５９】
図３（ｂ）を参照し、暖房水加熱運転について説明する。
【００６０】
浴室暖房機４０で浴室の暖房運転が開始され、その開始情報が浴室暖房機４０から送られてくると、暖房水加熱運転が開始される。暖房ポンプ６１２が動作し、浴室暖房機４０の放熱器と暖房水循環路６１１との間で暖房水が循環する。また、暖房電磁弁６２２が開放するとともに循環切替弁４１３が湯循環路６２１側に切り替えられた状態において循環ポンプ４１４と補助熱源機４２０が動作する。このとき、ふろ電磁弁５２２は閉鎖された状態にある。湯循環路６２１と入水路４１１と補助熱源機４２０と出水路４１２との間を、補助熱源機４２０で加熱されつつ、湯が循環する。浴室暖房機４０の放熱器から出た暖房水は、暖房熱交換器６３０において湯循環路６２１を流れる湯により加熱された後に浴室暖房機４０の放熱器へ戻る。これにより、浴室暖房機４０の放熱器が熱くなる。浴室暖房機４０では、放熱器で温められた風、即ち温風が浴室内に放出され、浴室内が暖められる。浴室暖房機４０の暖房運転が停止され、その停止情報が送られてくると、暖房ポンプ６１２、循環ポンプ４１４および補助熱源機４２０が停止し、暖房水加熱運転が終了する。
【００６１】
図４は、貯湯式給湯装置１０の構成を示すブロック図である。
【００６２】
貯湯式給湯装置１０は、上記の構成の他、リモートコントローラ７００（以下、「リモコン７００」と略する）と、マイクロコンピュータ８００（以下、「マイコン８００」と略する）と、電力供給部９００と、を備える。
【００６３】
リモコン７００は、浴室や台所に配置され、操作部と表示部とを備える。操作部では、給湯温度を設定する操作、ふろ温度を設定する操作、追い焚き運転を開始させる操作など、各種の操作を行うことができる。表示部には、設定された給湯温度やふろ温度など、各種の情報が表示される。
【００６４】
マイコン８００は、ＣＰＵ（Central Processing Unit）、ＲＯＭ（Read Only Memory）、ＲＡＭ（Random Access Memory）等を含む。マイコン８００には、リモコン７００から各種の信号が入力される。また、マイコン８００には、各貯湯温度センサ１０１から温度情報が入力される。マイコン８００は、各貯湯温度センサ１０１が検出した温度に基づいて貯湯タンク１００内の貯湯量を把握する。
【００６５】
マイコン８００は、ＲＯＭ等に記憶された各種の運転プログラムに従って、貯湯ポンプ２１５、循環ポンプ４１４、燃焼ファン４２４、ふろポンプ５１２、暖房ポンプ６１２、貯湯切替弁２１４、混合弁３０５、循環切替弁４１３、比例弁４１５、ふろ電磁弁５２２、暖房電磁弁６２２、ヒートポンプ２２０等を制御する。また、マイコン８００は、リモコン７００へ各種の情報を送信する。
【００６６】
電力供給部９００は、電源回路９１０と、電源ライン９２０と、三端子レギュレータ９３０と、第１ポンプラインスイッチング回路９４０と、第２ポンプラインスイッチング回路９５０と、第１バルブラインスイッチング回路９６０と、第２バルブラインスイッチング回路９７０とを含む。以下、便宜上、第１ポンプラインスイッチング回路９４０、第２ポンプラインスイッチング回路９５０、第１バルブラインスイッチング回路９６０、第２バルブラインスイッチング回路９７０を、それぞれ、第１ＰＬＳＷ回路９４０、第２ＰＬＳＷ回路９５０、第１ＶＬＳＷ回路９６０および第２ＶＬＳＷ回路９７０と称する。
【００６７】
電源回路９１０は、商用交流電源の交流電圧から、貯湯ポンプ２１５、循環ポンプ４１４、燃焼ファン４２４、ふろポンプ５１２および暖房ポンプ６１２に対する直流電圧Ｖ１（たとえば、１９Ｖ）と、貯湯切替弁２１４、混合弁３０５、循環切替弁４１３、比例弁４１５、ふろ電磁弁５２２および暖房電磁弁６２２に対する直流電圧Ｖ２（たとえば、１５Ｖ）を生成する。
【００６８】
電源ライン９２０は、第１ポンプ電源ライン９２１と、第２ポンプ電源ライン９２２と、第１バルブ電源ライン９２３と、第２バルブ電源ライン９２４とを含む。第１ポンプ電源ライン９２１は電源回路９１０から延びて貯湯ポンプ２１５に接続される。第２ポンプ電源ライン９２２は、第１ポンプ電源ライン９２１の途中の分岐点Ｐ１から分岐し、第１ＰＬＳＷ回路９４０の下流側でラインが分かれて、循環ポンプ４１４、燃焼ファン４２４、ふろポンプ５１２および暖房ポンプ６１２に接続される。第１バルブ電源ライン９２３は電源回路９１０から延びて貯湯切替弁２１４に接続される。第２バルブ電源ライン９２４は、第１バルブ電源ライン９２３の途中の分岐点Ｐ２から分岐し、第２ＶＬＳＷ回路９７０の下流側でラインが分かれて、混合弁３０５、循環切替弁４１３、比例弁４１５、ふろ電磁弁５２２および暖房電磁弁６２２に接続される。
【００６９】
三端子レギュレータ９３０は、第１ポンプ電源ライン９２１の分岐点Ｐ１より上流側の位置に設けられ、直流電圧Ｖ１を降圧して直流電圧Ｖ３（たとえば、１５Ｖ）を生成する。直流電圧Ｖ３が、貯湯ポンプ２１５、循環ポンプ４１４、燃焼ファン４２４、ふろポンプ５１２および暖房ポンプ６１２を動作させるための電圧となる。なお、電力供給部９００が、電源回路９１０で直流電圧Ｖ３が直接生成される構成とされた場合、三端子レギュレータ９３０は除かれ得る。
【００７０】
第１ＰＬＳＷ回路９４０は、第２ポンプ電源ライン９２２に設けられ、第２ポンプ電源ライン９２２の接続および遮断を行う。第２ＰＬＳＷ回路９５０は、第１ポンプ電源ライン９２１の分岐点Ｐ１および三端子レギュレータ９３０よりも上流側の位置に設けられ、第１ポンプ電源ライン９２１の接続および遮断を行う。第１ＶＬＳＷ回路９６０は、第１バルブ電源ライン９２３の分岐点Ｐ２よりも下流側に設けられ、第１バルブ電源ライン９２３における分岐点Ｐ２より下流のラインの接続および遮断を行う。第２ＶＬＳＷ回路９７０は、第２バルブ電源ライン９２４に設けられ、第２バルブ電源ライン９２４の接続および遮断を行う。第１ＰＬＳＷ回路９４０、第２ＰＬＳＷ回路９５０、第１ＶＬＳＷ回路９６０および第２ＶＬＳＷ回路９７０は、マイコン８００により制御される。
【００７１】
貯湯ポンプ２１５、循環ポンプ４１４、ふろポンプ５１２および暖房ポンプ６１２は、ＤＣポンプであり、燃焼ファン４２４は、ＤＣファンである。貯湯ポンプ２１５、循環ポンプ４１４、燃焼ファン４２４、ふろポンプ５１２および暖房ポンプ６１２は、第１ポンプ電源ライン９２１および第２ポンプ電源ライン９２２から電力の供給を受けている状態で、マイコン８００からの制御信号を受けると、それらのモータが制御信号に応じた回転数で回転する。また、貯湯ポンプ２１５、循環ポンプ４１４、燃焼ファン４２４、ふろポンプ５１２および暖房ポンプ６１２は、第１ポンプ電源ライン９２１および第２ポンプ電源ライン９２２から電力の供給を受けている状態で停止しているとき、待機電力を消費する。
【００７２】
貯湯ポンプ２１５、循環ポンプ４１４、燃焼ファン４２４、ふろポンプ５１２および暖房ポンプ６１２には、モータの回転数を検出する回転センサが内蔵されており、検出された回転数に応じた回転数信号がマイコン８００へ出力される。マイコン８００が貯湯ポンプ２１５、循環ポンプ４１４、燃焼ファン４２４、ふろポンプ５１２および暖房ポンプ６１２へ動作指令を行ったにもかかわらず、これら負荷から出力された回転数が０のままである場合、あるいは、極めて低い場合に、これら負荷に異常が発生したことを検出する。
【００７３】
図５は、マイコン８００による電力供給部９００の制御動作を示すフローチャートである。
【００７４】
本実施の形態の貯湯式給湯装置１０では、何れの運転も行われていないとき、マイコン８００が、何れのスイッチング回路９４０、９５０、９６０、９７０もオフし、何れの電源ライン９２１、９２２、９２３、９２４も遮断状態とする。これにより、貯湯ポンプ２１５、循環ポンプ４１４、ふろポンプ５１２および暖房ポンプ６１２に待機電力が生じず、待機時の消費電力が大きく低減される。
【００７５】
マイコン８００は、何れかの運転が行われる場合に（Ｓ１０１：ＹＥＳ）、その運転が給湯運転であるか否かを判定する（Ｓ１０２）。給湯運転が行われる場合（Ｓ１０２：ＹＥＳ）、マイコン８００は、第２ＶＬＳＷ回路９７０をオンし、第２バルブ電源ライン９２４を接続状態とする（Ｓ１０３）。これにより、第１バルブ電源ライン９２３および第２バルブ電源ライン９２４を通じて混合弁３０５に電力が供給される状態となる。図２（ｂ）により説明した給湯運転の際、マイコン８００からの指令により混合弁３０５が動作する。
【００７６】
給湯運転以外の運転が行われる場合（Ｓ１０２：ＮＯ）、マイコン８００は、第２ＰＬＳＷ回路９５０をオンし、第１ポンプ電源ライン９２１を接続状態とする（Ｓ１０４）。これにより、第１ポンプ電源ライン９２１を通じて貯湯ポンプ２１５に電力が供給される状態となる。次に、マイコン８００は、貯湯運転が行われるのであれば（Ｓ１０５：ＹＥＳ）、第１ＶＬＳＷ回路９６０をオンし、第１バルブ電源ライン９２３の分岐点Ｐ２よりも下流のラインを接続状態とする（Ｓ１０６）。これにより、第１バルブ電源ライン９２３を通じて貯湯切替弁２１４に電力が供給される状態となる。図２（ａ）により説明した貯湯運転の際、マイコン８００からの指令により貯湯ポンプ２１５および貯湯切替弁２１４が動作する。
【００７７】
なお、貯湯運転が開始されるときに、既に他の運転が行われている場合、既に第２ＰＬＳＷ回路９５０はオンされている。よって、この場合、Ｓ１０４では第２ＰＬＳＷ回路９５０のオン状態が維持される。
【００７８】
一方、マイコン８００は、貯湯運転ではなく補助熱源給湯運転、追い焚き運転または暖房水加熱運転が行われるのであれば（Ｓ１０５：ＮＯ）、第１ＰＬＳＷ回路９４０をオンし、第２ポンプ電源ライン９２２を接続状態とする（Ｓ１０７）。これにより、第１ポンプ電源ライン９２１および第２ポンプ電源ライン９２２を通じて循環ポンプ４１４、燃焼ファン４２４、ふろポンプ５１２および暖房ポンプ６１２に電力が供給される状態となる。さらに、マイコン８００は、第２ＶＬＳＷ回路９７０をオンし、第２バルブ電源ライン９２４を接続状態とする（Ｓ１０８）。これにより、第１バルブ電源ライン９２３および第２バルブ電源ライン９２４を通じて循環切替弁４１３、比例弁４１５、ふろ電磁弁５２２および暖房電磁弁６２２に電力が供給される状態となる。
【００７９】
図２（ｃ）により説明した補助熱源給湯運転の際、マイコン８００からの指令により循環ポンプ４１４、燃焼ファン４２４、循環切替弁４１３および比例弁４１５が動作する。また、図３（ａ）により説明した追い焚き運転の際、マイコン８００からの指令によりふろポンプ５１２およびふろ電磁弁５２２が動作する。さらに、図３（ｂ）により説明した暖房水加熱運転の際、マイコン８００からの指令により暖房ポンプ６１２および暖房電磁弁６２２が動作する。
【００８０】
マイコン８００は、補助熱源運転が終了するなどし、第２ポンプ電源ライン９２２を通じた電力供給が必要なくなったとき、第１ＰＬＳＷ回路９４０をオフする。また、マイコン８００は、貯湯運転が終了するなどし、第１ポンプ電源ライン９２１を通じた電力供給が必要なくなったとき、第２ＰＬＳＷ回路９５０をオフする。さらに、マイコン８００は、貯湯運転が終了するなどし、第１バルブ電源ライン９２３を通じた電力供給が必要なくなったとき、第１ＶＬＳＷ回路９６０をオフする。マイコン８００は、給湯運転、補助熱源給湯運転が終了するなどし、第２バルブ電源ライン９２４を通じた電力供給が必要なくなったとき、第２ＶＬＳＷ回路９７０をオフする。
【００８１】
次に、何れかのポンプ２１５、４１４、５１２、６１２または燃焼ファン４２４において故障等の異常が生じた場合に行われる異常処理について説明する。
【００８２】
第１ポンプ電源ライン９２１と第２ポンプ電源ライン９２２の何れもが接続されている状態において、何れかのポンプ２１５、４１４、５１２、６１２または燃焼ファン４２４に、これら電源ライン９２１、９２２がショートするような故障が発生した場合、全てのポンプ２１５、４１４、５１２、６１２および燃焼ファン４２４への電力供給が途絶えてしまう。よって、何れのポンプ２１５、４１４、５１２、６１２または燃焼ファン４２４で異常が発生したかの特定が難しい。そこで、本実施の形態の異常処理では、貯湯ポンプ２１５に異常が発生したのか、他のポンプ４１４、５１２、６１２または燃焼ファン４２４に異常が発生したのかの診断が行われ、診断結果に応じた異常報知が行われる。
【００８３】
図６は、マイコン８００による異常処理の制御動作を示すフローチャートである。
【００８４】
マイコン８００は、貯湯ポンプ２１５で異常が検出されたか否か、および、循環ポンプ４１４、ふろポンプ５１２、暖房ポンプ６１２または燃焼ファン４２４（以下、「他のポンプ等４１４、５１２、６１２、４２４」という）で異常が検出されたか否かの判定を行う（Ｓ２０１、２０２）。
【００８５】
貯湯ポンプ２１５で異常が検出された場合（Ｓ２０１：ＹＥＳ）、マイコン８００は、第１ＰＬＳＷ回路９４０がオン状態であるか否か、即ち、他のポンプ等４１４、５１２、６１２、４２４に電力が供給される状態にあるか否かを判定する（Ｓ２０３）。第１ＰＬＳＷ回路９４０がオン状態である場合（Ｓ２０３：ＹＥＳ）には、他のポンプ等４１４、５１２、６１２、４２４の異常が原因となって、貯湯ポンプ２１５が動作しなくなった可能性がある。よって、マイコン８００は、第１ＰＬＳＷ回路９４０がオフした後（Ｓ２０４）、貯湯ポンプ２１５を作動させる（Ｓ２０５）。
【００８６】
貯湯ポンプ２１５が正常に動作しない場合、即ち、貯湯ポンプ２１５に異常が検出された場合（Ｓ２０６：ＹＥＳ）、マイコン８００は、貯湯ポンプ２１５に異常があるときの報知を行う（Ｓ２０７）。たとえば、マイコン８００は、リモコン７００の表示部に、貯湯ポンプ２１５に異常がある旨のメッセージを表示させたり、貯湯ポンプ２１５の異常に対応するエラーコードを表示させたりする。
【００８７】
一方、貯湯ポンプ２１５が正常に動作した場合、即ち、貯湯ポンプ２１５に異常が検出されなかった場合（Ｓ２０６：ＮＯ）、マイコン８００は、他のポンプ等４１４、５１２、６１２、４２４に異常があるときの報知を行う（Ｓ２０８）。たとえば、マイコン８００は、リモコン７００の表示部に、他のポンプ等４１４、５１２、６１２、４２４に異常がある旨のメッセージを表示させたり、他のポンプ等４１４、５１２、６１２、４２４の異常に対応するエラーコードを表示させたりする。
【００８８】
Ｓ２０３において、第１ＰＬＳＷ回路９４０がオフ状態である場合（Ｓ２０３：ＮＯ）には、貯湯ポンプ２１５の異常に他のポンプ等４１４、５１２、６１２、４２４は関係しない。よって、マイコン８００は、Ｓ２０４ないしＳ２０６の処理を行うことなく、貯湯ポンプ２１５に異常があると判定し、貯湯ポンプ２１５に異常があるときの報知を行う（Ｓ２０７）。
【００８９】
Ｓ２０２において、他のポンプ等４１４、５１２、６１２、４２４で異常が検出された場合（Ｓ２０２：ＹＥＳ）、貯湯ポンプ２１５の異常が原因となって、他のポンプ等４１４、５１２、６１２、４２４が動作しなくなった可能性がある。よって、この場合、マイコン８００は、直ちに、第１ＰＬＳＷ回路９４０がオフした後（Ｓ２０４）、Ｓ２０５ないしＳ２０８の処理を行う。但し、この場合、他のポンプ等４１４、５１２、６１２、４２４に異常が検出されているため、Ｓ２０８では、他のポンプ等４１４、５１２、６１２、４２４に異常があるときの報知として、異常が検出されたポンプ４１４、５１２、６１２あるいは燃焼ファン４２４に異常があるときの報知がなされる。たとえば、循環ポンプ４１４で異常が検出された場合、マイコン８００は、リモコン７００の表示部に、循環ポンプ４１４に異常がある旨のメッセージを表示させたり、循環ポンプ４１４の異常に対応するエラーコードを表示させたりする。
【００９０】
＜実施の形態の効果＞
本実施の形態によれば、以下の効果が奏され得る。
【００９１】
貯湯ポンプ２１５は動作させるが他のポンプ等４１４、５１２、６１２、４２４は動作させない場合、他のポンプ等４１４、５１２、６１２、４２４に電力を供給する第２ポンプ電源ライン９２２を遮断するようにしたので、他のポンプ等４１４、５１２、６１２、４２４で待機電力を生じないようにすることができる。これにより、貯湯式給湯装置１０の消費電力の低減を図ることができる。
【００９２】
また、他のポンプ等４１４、５１２、６１２、４２４のみならず貯湯ポンプ２１５も動作させない場合、貯湯ポンプ２１５に電力を供給する第１ポンプ電源ライン９２１を遮断するようにしたので、貯湯ポンプ２１５で待機電力を生じないようにすることができる。これにより、貯湯式給湯装置１０の消費電力の低減を一層図ることができる。
【００９３】
さらに、貯湯ポンプ２１５または他のポンプ等４１４、５１２、６１２、４２４で異常が発生した場合に、第２ポンプ電源ライン９２２を遮断した後、貯湯ポンプ２１５を動作させ、その動作結果に基づいて異常報知を行うようにしているので、使用者は、貯湯ポンプ２１５および他のポンプ等４１４、５１２、６１２、４２４のどちら側に異常が発生したのかを知ることができる。
【００９４】
さらに、貯湯切替弁２１４は動作させるが他の弁３０５、４１３、４１５、５２２、６２２は動作させない場合、他の弁３０５、４１３、４１５、５２２、６２２に電力を供給する第２バルブ電源ライン９２４を遮断するようにしたので、他の弁３０５、４１３、４１５、５２２、６２２で待機電力を生じないようにすることができる。これにより、貯湯式給湯装置１０の消費電力の一層低減を図ることができる。
【００９５】
以上、本発明の実施の形態について説明したが、本発明は、上記実施の形態によって何ら制限されるものではなく、また、本発明の実施の形態も、上記以外に種々の変更が可能である。
【００９６】
＜変更例＞
図７は、変更例に係る、貯湯式給湯装置１０の構成を示すブロック図である。
【００９７】
上記実施の形態では、循環ポンプ４１４、燃焼ファン４２４、ふろポンプ５１２および暖房ポンプ６１２が同じ電源ライン、即ち、第２ポンプ電源ライン９２２に接続された。これに対し、本変更例では、電力供給部９００に、第１ポンプ電源ライン９２１の分岐点Ｐ１から分岐する第３ポンプ電源ライン９２５が設けられる。第３ポンプ電源ライン９２５には、第３ポンプ電源ライン９２５の接続および遮断を行う第３ポンプラインスイッチング回路９８０（以下、「第３ＰＬＳＷ回路９８０」と称する）が設けられる。第３ポンプ電源ライン９２５は、第３ＰＬＳＷ回路９８０の下流側でラインが分かれてふろポンプ５１２および暖房ポンプ６１２に接続される。第３ＰＬＳＷ回路９８０は、マイコン８００により制御される。第２ポンプ電源ライン９２２は、循環ポンプ４１４および燃焼ファン４２４に接続される。
【００９８】
なお、第３ポンプ電源ライン９２５は、第２ポンプ電源ライン９２２の第１ＰＬＳＷ回路９４０の上流側から分岐させるようにしてもよい。
【００９９】
図８は、変更例に係る、マイコン８００による電力供給部９００の制御動作を示すフローチャートである。本変更例に係る図８のフローチャートでは、上記実施の形態に係る図５のフローチャートに対し、Ｓ１２１およびＳ１２２の処理が追加されている。
【０１００】
本変更例では、マイコン８００は、貯湯運転ではなく補助熱源給湯運転が行われるのであれば（Ｓ１０５：ＮＯ、Ｓ１２１：ＹＥＳ）、第１ＰＬＳＷ回路９４０をオンし、第２ポンプ電源ライン９２２を接続状態とする（Ｓ１０７）とともに、第２ＶＬＳＷ回路９７０をオンし、第２バルブ電源ライン９２４を接続状態とする（Ｓ１０８）。これにより、第１ポンプ電源ライン９２１および第２ポンプ電源ライン９２２を通じて循環ポンプ４１４および燃焼ファン４２４に電力が供給される状態となり、第１バルブ電源ライン９２３および第２バルブ電源ライン９２４を通じて循環切替弁４１３および比例弁４１５に電力が供給される状態となる。
【０１０１】
一方、マイコン８００は、貯湯運転ではなく追い焚き運転または暖房水加熱運転が行われるのであれば（Ｓ１０５：ＮＯ、Ｓ１２１：ＮＯ）、第３ＰＬＳＷ回路９８０をオンし、第３ポンプ電源ライン９２５を接続状態とする（Ｓ１２２）とともに、第２ＶＬＳＷ回路９７０をオンし、第２バルブ電源ライン９２４を接続状態とする（Ｓ１０８）。これにより、第１ポンプ電源ライン９２１および第３ポンプ電源ライン９２５を通じてふろポンプ５１２および暖房ポンプ６１２に電力が供給される状態となり、第１バルブ電源ライン９２３および第２バルブ電源ライン９２４を通じてふろ電磁弁５２２および暖房電磁弁６２２に電力が供給される状態となる。
【０１０２】
図９は、変更例に係る、マイコン８００による異常処理の制御動作を示すフローチャートである。本変更例に係る図９のフローチャートでは、上記実施の形態に係る図６のフローチャートに対し、Ｓ２０３およびＳ２０４の処理がＳ２２１およびＳ２２２の処理に置き換えられ、Ｓ２０８の処理がＳ２２３ないしＳ２２７の処理に置き換えられる。
【０１０３】
本変更例では、マイコン８００は、貯湯ポンプ２１５で異常が検出された場合に（Ｓ２０１：ＹＥＳ）、第１ＰＬＳＷ回路９４０および第３ＰＬＳＷ回路９８０の一方および双方がオン状態にあれば（Ｓ２２１:ＹＥＳ）、オン状態にあるＰＬＳＷ回路９４０、９８０をオフにする（Ｓ２２２）。また、マイコン８００は、他のポンプ等４１４、５１２、６１２、４２４で異常が検出された場合に（Ｓ２０２）、オン状態にあるＰＬＳＷ回路９４０、９８０をオフする（Ｓ２２２）。即ち、循環ポンプ４１４または燃焼ファン４２４で異常が検出された場合は、第１ＰＬＳＷ回路９４０がオフされるともに、第３ＰＬＳＷ回路９８０がオン状態にあれば、第３ＰＬＳＷ回路９８０もオフされる。ふろポンプ５１２または暖房ポンプ６１２で異常が検出された場合は、第３ＰＬＳＷ回路９８０がオフされるともに、第１ＰＬＳＷ回路９４０がオン状態にあれば、第１ＰＬＳＷ回路９４０もオフされる。そして、Ｓ２０５およびＳ２０６の処理が行われ、Ｓ２０６で貯湯ポンプ２１５に異常が検出されなかった場合（Ｓ２０６：ＮＯ）、マイコン８００は、第１ＰＬＳＷ回路９４０および第３ＰＬＳＷ回路９８０の何れがオン状態にあったかを判定する（Ｓ２２３）。
【０１０４】
第１ＰＬＳＷ回路９４０および第３ＰＬＳＷ回路９８０の双方がオン状態にあった場合（Ｓ２２３：双方）、マイコン８００は、循環ポンプ４１４を作動させる（Ｓ２２４）。そして、マイコン８００は、循環ポンプ４１４に異常が検出されると（Ｓ２２５：ＹＥＳ）、循環ポンプ４１４または燃焼ファン４２４に異常があるときの報知を行う（Ｓ２２６）。たとえば、マイコン８００は、リモコン７００の表示部に、循環ポンプ４１４または燃焼ファン４２４に異常がある旨のメッセージを表示させたり、循環ポンプ４１４または燃焼ファン４２４の異常に対応するエラーコードを表示させたりする。
【０１０５】
一方、Ｓ２２３での判定の結果、第１ＰＬＳＷ回路９４０のみがオン状態にあった場合（Ｓ２２３：第１）、マイコン８００は、循環ポンプ４１４または燃焼ファン４２４に異常があるときの報知を行う（Ｓ２２６）。
【０１０６】
一方、Ｓ２２３での判定の結果、第３ＰＬＳＷ回路９８０のみがオン状態にあった場合（Ｓ２２３：第３）、および、Ｓ２２５での判定の結果、循環ポンプ４１４に異常が検出さなかった場合（Ｓ２２５：ＮＯ）、マイコン８００は、ふろポンプ５１２または暖房ポンプ６１２に異常があるときの報知を行う（Ｓ２２７）。たとえば、マイコン８００は、リモコン７００の表示部に、ふろポンプ５１２または暖房ポンプ６１２に異常がある旨のメッセージを表示させたり、ふろポンプ５１２または暖房ポンプ６１２の異常に対応するエラーコードを表示させたりする。
【０１０７】
本変更例の構成によれば、循環ポンプ４１４および燃焼ファン４２４の組と、ふろポンプ５１２および暖房ポンプ６１２の組のうち、一方の組は動作するが、他方の組は動作しない場合に、他方の組に電力を供給しない状態にできるので、他方の組に待機電力が生じず、貯湯式給湯装置１０の消費電力が一層低減される。
【０１０８】
また、本変更例の構成によれば、貯湯ポンプ２１５または他のポンプ等４１４、５１２、６１２、４２４で異常が発生した場合に、使用者は、貯湯ポンプ２１５と、循環ポンプ４１４および燃焼ファン４２４の組と、ふろポンプ５１２および暖房ポンプ６１２の組のどちら側において異常が発生したのかを知ることができる。
【０１０９】
＜その他の変更例＞
上記実施の形態では、第２ＰＬＳＷ回路９５０が第１ポンプ電源ライン９２１において、分岐点Ｐ１よりも上流側に設けられたが、分岐点Ｐ１よりも下流側に設けられてもよい。この場合、図５のＳ１０４の処理は、Ｓ１０５の処理とＳ１０６の処理の間に移動され、行われる運転が貯湯運転である場合に（Ｓ１０５：ＹＥＳ）、マイコン８００が第２ＰＬＳＷ回路９５０をオンする。
【０１１０】
また、上記実施の形態では、ふろ水が、補助熱源機４２０で加熱されてふろ熱交換器５３０を通る湯により加熱される。また、暖房水が、補助熱源機４２０で加熱されて暖房熱交換器６３０を通る湯により加熱される。しかしながら、追い焚き部５００は、ふろ水が補助熱源機４２０で直接加熱される構成とされてもよい。同様に、暖房水加熱部６００は、暖房水が補助熱源機４２０で直接加熱される構成とされてもよい。これらの構成とされた場合、補助熱源機４２０が、特許請求の範囲の「加熱部」に対応することとなる。
【０１１１】
さらに、上記実施の形態および上記変更例では、図４および図７に示すように、ふろ電磁弁５２２および暖房電磁弁６２２が、第２バルブ電源ライン９２４における第２ＶＬＳＷ回路９７０の下流側に接続された。しかしながら、これら電磁弁５２２、６２２においては、待機時にほとんど電力消費が生じないため、第２バルブ電源ライン９２４における第２ＶＬＳＷ回路９７０の上流側に接続されてもよい。
【０１１２】
さらに、上記実施の形態では、貯湯タンク１００の湯を加熱するための熱源としてヒートポンプ２２０が用いられた。しかしながら、他の熱源を用いることもできる。たとえば、燃料電池等で構成された発電装置を熱源にできる。この場合、発電装置は、発電の際に発生した排熱を回収する熱交換器を備え、この熱交換器と貯湯タンク１００との間で水（湯）が循環する。
【０１１３】
さらに、本発明は、追い焚き部５００および暖房水加熱部６００のうち、少なくとも一方を備えない貯湯式給湯装置に適用できる。また、本発明は、補助加熱部４００の補助加熱回路４１０に循環ポンプ４１４を有さない貯湯式給湯装置にも適用できる。
【０１１４】
この他、本発明の実施形態は、特許請求の範囲に記載の範囲で適宜変更可能である。
【符号の説明】
【０１１５】
１０  貯湯式給湯装置
１００  貯湯タンク
２１５  貯湯ポンプ（第１ポンプ）
２２０  ヒートポンプ（第１熱源、熱源）
４１４  循環ポンプ（第２ポンプ）
４２０  補助熱源機（第２熱源）
４２３  燃焼器
４２４  燃焼ファン
５１２  ふろポンプ（第３ポンプ、第２ポンプ）
５３０  ふろ熱交換器（加熱部）
６１２  暖房ポンプ（第３ポンプ、第２ポンプ）
６３０  暖房熱交換器（加熱部）
８００  マイクロコンピュータ（制御部）
９１０  電源回路（電源部）
９２１  第１ポンプ電源ライン（第１電源ライン）
９２２  第２ポンプ電源ライン（第２電源ライン）
９２５  第３ポンプ電源ライン（第３電源ライン）
９４０  第１ポンプラインスイッチング回路（第１スイッチ部）
９５０  第２ポンプラインスイッチング回路（第２スイッチ部）
９８０  第３ポンプラインスイッチング回路（第３スイッチ部）
【図１】
2019190677.tif 000003
【図２】
2019190677.tif 000004
【図３】
2019190677.tif 000005
【図４】
2019190677.tif 000006
【図５】
2019190677.tif 000007
【図６】
2019190677.tif 000008
【図７】
2019190677.tif 000009
【図８】
2019190677.tif 000010
【図９】
2019190677.tif 000011